【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
コンテンツのそれぞれに対して、前記コンテンツに関連すると共に不特定多数の人に共通するパブリック時間情報と、前記コンテンツに関連すると共に特定少数の人にしか属さないプライベート時間情報とを設定し、設定された前記パブリック時間情報と前記プライベート時間情報を用いて前記コンテンツを検索して利用する
コンテンツ利用方法。
【請求項２】
請求項１に記載のコンテンツ利用方法において、
前記パブリック時間情報と、前記プライベート時間情報とは、それぞれその時間情報の属性情報を対応する付随データとして含むものであり、
前記時間情報の属性情報をも併せて用いて、前記コンテンツを検索して利用する
コンテンツ利用方法。
【請求項３】
請求項２に記載のコンテンツ利用方法において、
前記プライベート時間情報の属性情報は、対応する前記プライベート時間情報に関連する個人またはグループを特定するための情報を含む
コンテンツ利用方法。
【請求項４】
請求項２に記載のコンテンツ利用方法において、
前記コンテンツに関連するプライベート時間情報およびその属性情報の組は、前記コンテンツのデータの利用機器が付与して設定する
コンテンツ利用方法。
【請求項５】
請求項１に記載のコンテンツ利用方法において、
特定の時間情報が検索子として設定されたときに、前記特定の時間情報により前記パブリック時間情報が検索されたことによる検索結果のコンテンツと、前記特定の時間情報により前記プライベート時間情報が検索されたことによる検索結果のコンテンツとを、両者を区分けする状態で検索結果として同時に提示する
コンテンツ利用方法。
【請求項６】
請求項１に記載のコンテンツ利用方法において、
前記パブリック時間情報と前記プライベート時間情報との差の時間情報を検索子として、前記コンテンツを検索する
コンテンツ利用方法。
【請求項７】
請求項６に記載のコンテンツ利用方法において、
前記パブリック時間情報と、前記プライベート時間情報とは、それぞれその時間情報の属性情報を対応する付随データとして含むものであり、
前記差の時間情報の設定の際には、前記パブリック時間情報および前記プライベート時間情報の前記属性情報も併せて設定される
コンテンツ利用方法。
【請求項８】
コンテンツのそれぞれに対して設定されている、前記コンテンツに関連すると共に不特定多数の人に共通するパブリック時間情報と、前記コンテンツに関連すると共に特定少数の人にしか属さないプライベート時間情報とを用いて前記コンテンツを検索して利用する
コンテンツ利用装置。
【請求項９】
コンテンツのそれぞれを、前記コンテンツに関連する時間情報および当該時間情報の属性情報を含む付随データに対応付けて記録するコンテンツ記録方法であって、
前記コンテンツに関連すると共に不特定多数の人に共通するパブリック時間情報およびその属性情報との組と、前記コンテンツに関連すると共に特定少数の人にしか属さないプライベート時間情報およびその属性情報との組とを、前記付随データに含めて記録する
コンテンツ記録方法。
【請求項１０】
コンテンツのそれぞれを、前記コンテンツに関連する時間情報および当該時間情報の属性情報を含む付随データに対応付けて記録するコンテンツ記録装置であって、
前記コンテンツに関連すると共に不特定多数の人に共通するパブリック時間情報およびその属性情報との組と、前記コンテンツに関連すると共に特定少数の人にしか属さないプライベート時間情報およびその属性情報との組とを、前記付随データに含めて記録する
コンテンツ記録装置。
【請求項１１】
コンテンツ配信サーバと、前記コンテンツ配信サーバと通信路を通じて接続されるコンテンツ受信端末とからなるコンテンツ提供システムにおいて、
前記コンテンツ配信サーバは、コンテンツのそれぞれと、前記コンテンツに関連する時間情報および当該時間情報の属性情報を含む付随データとを、対応付けて前記コンテンツ受信端末に提供するものであって、前記コンテンツに関連すると共に不特定多数の人に共通するパブリック時間情報およびその属性情報との組と、前記コンテンツに関連すると共に特定少数の人にしか属さないプライベート時間情報およびその属性情報との組とを、前記付随データに含めて提供する
コンテンツ提供システム。
【請求項１２】
請求項１１に記載のコンテンツ提供システムにおいて、
前記コンテンツに関連するプライベート時間情報およびその属性情報の組は、前記コンテンツ配信サーバが、前記コンテンツ受信端末に提供する際に、前記付随データに含める
コンテンツ提供システム。
【請求項１３】
請求項１１に記載のコンテンツ提供システムにおいて、
前記コンテンツ受信端末が、前記コンテンツ配信サーバから前記コンテンツのデータと前記付随データとを受信したときに、前記コンテンツに関連するプライベート時間情報およびその属性情報の組を、前記付随データに追加する
コンテンツ提供システム。
【請求項１４】
コンテンツ配信サーバと、前記コンテンツ配信サーバと通信路を通じて接続されるコンテンツ受信端末とからなるコンテンツ提供システムにおいて、
前記コンテンツ配信サーバは、コンテンツのそれぞれと、前記コンテンツに関連する時間情報および当該時間情報の属性情報を含む付随データとを対応付けて前記コンテンツ受信端末に提供するものであって、前記コンテンツに関連すると共に不特定多数の人に共通するパブリック時間情報およびその属性情報との組を、前記付随データに含めて提供し、
前記コンテンツ受信端末は、前記コンテンツ配信サーバから前記コンテンツのデータと前記付随データとを受信したときに、前記コンテンツに関連すると共に特定少数の人にしか属さないプライベート時間情報およびその属性情報の組を、前記付随データに追加する
コンテンツ提供システム。
【請求項１５】
コンテンツのそれぞれと、前記コンテンツに対応付けられた前記コンテンツに関連する時間情報および当該時間情報の属性情報を含む付随データとを受信するコンテンツ受信方法であって、
前記コンテンツに関連すると共に不特定多数の人に共通するパブリック時間情報およびその属性情報との組と、前記コンテンツに関連すると共に特定少数の人にしか属さないプライベート時間情報およびその属性情報との組とを、前記付随データに含めて受信する
コンテンツ受信方法。
【請求項１６】
コンテンツのデータのそれぞれと、前記コンテンツに対応付けられた前記コンテンツに関連する時間情報および当該時間情報の属性情報を含む付随データとを受信するコンテンツ受信方法であって、
前記コンテンツに関連すると共に不特定多数の人に共通するパブリック時間情報およびその属性情報との組を、前記付随データに含めて受信すると共に、
前記受信時に、前記コンテンツに関連すると共に特定少数の人にしか属さないプライベート時間情報およびその属性情報との組とを、前記付随データに追加する
コンテンツ受信方法。
【請求項１７】
コンテンツのデータのそれぞれと、前記コンテンツに対応付けられた前記コンテンツに関連する時間情報および当該時間情報の属性情報を含む付随データとを受信するコンテンツ受信装置であって、
前記コンテンツに関連すると共に不特定多数の人に共通するパブリック時間情報およびその属性情報との組と、前記コンテンツに関連すると共に特定少数の人にしか属さないプライベート時間情報およびその属性情報との組とを、前記付随データに含めて受信する
コンテンツ受信装置。
【請求項１８】
コンテンツのデータのそれぞれと、前記コンテンツに対応付けられた前記コンテンツに関連する時間情報および当該時間情報の属性情報を含む付随データとを受信するコンテンツ受信装置であって、
前記コンテンツに関連すると共に不特定多数の人に共通するパブリック時間情報およびその属性情報との組を、前記付随データに含めて受信すると共に、
前記受信時に、前記コンテンツに関連すると共に特定少数の人にしか属さないプライベート時間情報およびその属性情報との組とを、前記付随データに追加する
コンテンツ受信装置。
【請求項１９】
請求項１７または請求項１８に記載のコンテンツ受信装置において、
利用者による前記プライベート時間情報およびその属性情報の組の入力を受けて、前記付随データに、当該入力された前記プライベート時間情報およびその属性情報の組を追加する
コンテンツ受信装置。
【請求項２０】
所定のコンテンツが、前記コンテンツに関連すると共に不特定多数の人に共通するパブリック時間情報およびその属性情報との組と、前記コンテンツに関連すると共に特定少数の人にしか属さないプライベート時間情報およびその属性情報との組とに対応付けられて設定されているコンテンツデータフォーマット。
【手続補正２】
【補正対象書類名】明細書
【補正対象項目名】００２１
【補正方法】変更
【補正の内容】
【００２１】
また、請求項６の発明は、請求項１に記載のコンテンツ利用方法において、
前記パブリック時間情報と前記プライベート時間情報との差の時間情報を検索子として、前記コンテンツを検索する
ことを特徴とする。
【手続補正３】
【補正対象書類名】明細書
【補正対象項目名】００２２
【補正方法】変更
【補正の内容】
【００２２】
請求項６において、パブリック時間情報として例えばコンテンツ発売日を用い、プライベート時間情報としてコンテンツ購入日を用いた場合に、その差の時間情報は、コンテンツの発売日から購入までの時間を検索子としてコンテンツを検索することができる。
【手続補正４】
【補正対象書類名】明細書
【補正対象項目名】００２３
【補正方法】変更
【補正の内容】
【００２３】
したがって、この請求項６の発明によれば、利用者は、発売されてからすぐに購入したコンテンツを検索したり、あるいは発売されてからしばらく経過した後購入したコンテンツを検索したりすることができるようになる。
【手続補正５】
【補正対象書類名】明細書
【補正対象項目名】００９５
【補正方法】変更
【補正の内容】
【００９５】
そして、この実施形態では、音楽コンテンツ受信端末２０は、コンテンツ配信サーバ１０から音楽コンテンツを取得して再生しているとき、当該再生中の音楽コンテンツを聴取している利用者が、当該再生中の音楽コンテンツの購入要求をコンテンツ配信サーバ１０に送ることができるようにしている。
【手続補正６】
【補正対象書類名】明細書
【補正対象項目名】０１４１
【補正方法】変更
【補正の内容】
【０１４１】
さらに、時間情報インターフェース２１１には、操作情報信号変換部２１４が接続されている。操作情報信号変換部２１４は、回転つまみ操作部２３の大つまみ部２３ａおよび小つまみ部２３ｂの回転操作量や押下操作に応じた操作情報信号を受けて、当該操作情報信号を時間軸に射影した時間情報に変換する。時間情報インターフェース２１１は、この時間情報を操作情報信号変換部２１４から受けてシステムバス２００に供給する。システムバス２００に供給された時間情報は、ＣＰＵ２０１の制御に従って、コンテンツ取得要求生成部２０８に転送され、コンテンツ取得要求に含められる情報を生成するために用いられる。
【手続補正７】
【補正対象書類名】明細書
【補正対象項目名】０１８７
【補正方法】変更
【補正の内容】
【０１８７】
なお、この実施形態では、コンテンツ取得要求には、当該ＡＶコンテンツ受信端末３０のＡＶコンテンツデコード処理部３０７が備えるＡＶコンテンツデコード機能を識別するための情報を含めるようにしておき、コンテンツ配信サーバ１０から、当該ＡＶコンテンツデコード処理部３０７でデコード処理ができるＡＶコンテンツのみを取得するように構成する。
【手続補正８】
【補正対象書類名】明細書
【補正対象項目名】０２１２
【補正方法】変更
【補正の内容】
【０２１２】
つまり、例えば図９における音楽コンテンツＡ１，Ａ２，Ａ３，Ａ４・・・は、それぞれ当該コンテンツの一部とされる。このコンテンツの一部としては、楽曲のイントロや楽曲のサビなど、楽曲の特徴的な部分が好ましい。したがって、音楽コンテンツＡ１，Ａ２，Ａ３，Ａ４・・・のそれぞれの再生は、比較的短い時間で終了して、次の音楽コンテンツの一部の再生に移ってゆく。
【手続補正９】
【補正対象書類名】明細書
【補正対象項目名】０２１７
【補正方法】変更
【補正の内容】
【０２１７】
なお、この第２の配信態様においても、第１の配信態様における次候補ボタンを設けてもよい。その場合には、次候補ボタンが操作されて、コンテンツ受信端末が次配信コンテンツ要求をコンテンツ配信サーバに送ると、コンテンツ配信サーバは、予備的配信のために用意している現コンテンツの一部の配信が終了していなくても、次に予備的配信しようとしていたコンテンツの一部を配信するようにする。
【手続補正１０】
【補正対象書類名】明細書
【補正対象項目名】０２１８
【補正方法】変更
【補正の内容】
【０２１８】
また、この第２の配信態様において、コンテンツ受信端末が表示画面を備えている場合には、予備的配信におけるコンテンツの一部の配信に併せて、コンテンツに関連する画像情報を送り、利用者が本配信の要求操作をする際の補助情報を提供するようにしてもよい。例えば、音楽コンテンツの場合には、レコードジャケットやＣＤジャケットの画像を、コンテンツ配信サーバ１０がコンテンツ受信端末に送り、コンテンツ受信端末は、その表示画面に、予備的配信の再生順序に応じて、徐々に、ジャケット画像をスクロールするようにする。例えば、図５に示した音楽コンテンツ受信端末２０のＬＣＤ表示画面２４の、例えば時間軸表示部２４１の部分に、時間軸表示部２４１に変えて、ジャケット画像のスクロール画像を表示するようにする。そして、本配信の要求をすると、当該ジャケット画像のスクロール画像が消えて、元の時間軸表示部２４１の表示に戻る。
【手続補正１１】
【補正対象書類名】明細書
【補正対象項目名】０２６４
【補正方法】変更
【補正の内容】
【０２６４】
また、ステップＳ２４で、指定された時間情報の属性情報は「指定無し」以外であると判別したときには、ＣＰＵ２０１は、指定中の時間情報と、変更指定された時間情報の属性情報および指定中のジャンルの情報を含む付随情報と、要求するコンテンツが音楽コンテンツであることを示す情報とを、コンテンツ取得要求に含めてコンテンツ配信サーバ１０に送る（ステップＳ２６）。
【手続補正１２】
【補正対象書類名】明細書
【補正対象項目名】０３０２
【補正方法】変更
【補正の内容】
【０３０２】
そして、ＣＰＵ３０１は、購入要求したＡＶコンテンツのダウンロードが完了（コンテンツデータの格納が完了）したか否かを判別し（ステップＳ９４）、完了していなければステップＳ９３に戻ってダウンロードを継続し、完了したと判別したときには、ダウンロード完了通知をコンテンツ配信サーバ１０に送る（ステップＳ９５）。
【手続補正１３】
【補正対象書類名】明細書
【補正対象項目名】０４０６
【補正方法】変更
【補正の内容】
【０４０６】
また、ステップＳ２６２で、ジャンルが変更されてはいないと判別したときには、ＣＰＵ３０１は、時間情報が変更されたか否か判別し（ステップＳ２６４）、変更されたと判別したときには、その変更された時間情報を受け付けて、時間情報表示欄３４３の時間情報表示を変更する（ステップＳ２６５）。そして、ＣＰＵ３０１は、ステップＳ２５５に戻り、変更された検索条件により再検索を行い、このステップＳ２５５以降の処理を繰り返す。
【手続補正１４】
【補正対象書類名】明細書
【補正対象項目名】０４１９
【補正方法】変更
【補正の内容】
【０４１９】
また、ステップＳ２８１で、パブリック時間属性やプライベート時間属性の変更操作がなされていないと判別したときには、ＣＰＵ３０１は、時間差の条件情報の変更操作がなされたか否か判別し（ステップＳ２８３）、変更されたと判別したときには、その変更された時間差の条件情報を受け付ける（ステップＳ２８４）。そして、ＣＰＵ３０１は、ステップＳ２５７に戻り、変更された検索条件により再検索を行い、このステップＳ２５７以降の処理を繰り返す。